(57)【要約】【課題】リールの交換作業が簡単で、かつ、巻き締りを解消することが可能な電子部品接着用の異方性導電体の供給装置を提供する。【解決手段】電子部品接着用の異方性導電体の粘着層を有し片面にセパレータテープが貼着された異方性導電テープを送給することにより異方性導電体を供給する電子部品接着用の異方性導電体の供給装置であって、前記異方性導電テープを巻回して供給する供給リールと、前記供給リールが着脱自在に装着され、前記供給リールを回転駆動する駆動軸を備えた駆動手段と、前記駆動手段の駆動軸の回転を前記供給リールの被駆動軸に伝達する駆動力伝達機構とを備えており、前記駆動力伝達機構は、前記供給リールの被駆動軸に対し、磁気的に着脱可能である。【選択図】図２
2011151177.tif 000002
【特許請求の範囲】
【請求項１】
電子部品接着用の異方性導電体の粘着層を有し片面にセパレータテープが貼着された異方性導電テープを送給することにより前記異方性導電体を供給する電子部品接着用の異方性導電体の供給装置であって、
前記異方性導電テープを巻回して供給する供給リールと、
前記供給リールが着脱自在に装着され、前記供給リールを回転駆動する駆動軸を備えた駆動手段と、
前記駆動手段の駆動軸の回転を前記供給リールの被駆動軸に伝達する駆動力伝達機構とを備えており、
前記駆動力伝達機構は、前記供給リールの被駆動軸に対し、磁気的に着脱可能であることを特徴とする電子部品接着用の異方性導電体の供給装置。
【請求項２】
前記請求項１に記載した異方性導電体の供給装置において、前記駆動力伝達機構は、前記駆動手段の駆動軸の回転により回転する磁石を備えており、かつ、前記供給リールの被駆動軸は、少なくともその一部を前記磁石に対して磁気的に連結する材料により形成したことを特徴とする電子部品接着用の異方性導電体の供給装置。
【請求項３】
前記請求項１に記載した異方性導電体の供給装置において、前記供給リールの被駆動軸は、少なくともその一部を磁石により形成されており、かつ、前記駆動力伝達機構は、前記駆動手段の駆動軸の回転により回転する部材を前記磁石に対して磁気的に連結する材料により形成したことを特徴とする電子部品接着用の異方性導電体の供給装置。
【請求項４】
前記請求項１に記載した異方性導電体の供給装置において、前記駆動力伝達機構は、前記駆動手段の駆動軸の回転により回転する磁石を備え、かつ、前記供給リールの被駆動軸は、少なくともその一部を磁石により形成していることを特徴とする電子部品接着用の異方性導電体の供給装置。
【発明の詳細な説明】
【技術分野】
【０００１】
本発明は、電子部品接着用の部材をワークに供給するための装置に関し、特に、電子部品接着用の異方性導電体（ＡＣＦ：Anisotropic Conductive Film）を供給するための供給装置に関する。
【背景技術】
【０００２】
例えば、液晶ディスプレイに代表される、薄型表示装置（ＦＰＤ：Flat Panel Display）の製造ラインでは、ガラス製の基板の端（縁）部に形成された電極に、ＩＣドライバ等の電子部品を搭載して接続（実装）することが行われる。その際、例えば、以下の特許文献１にも知られるように、テープ状の異方性導電体を基板などのワークの電極上に貼付け、その上からチップを圧着する装置や方法が、既に知られている。
【０００３】
なお、異方性導電体（以下、［ＡＣＦ」又は「ＡＣＦテープ」という）は粘着性を有し取り扱いにくいため、セパレータテープに貼着して異方性導電テープ（以下、「ＡＣＦテープ」という）とすることが行われており、このＡＣＦテープは、通常、供給リールに巻回した状態で取り扱われ、ＡＣＦの貼付け装置に供給される。そして、かかるＡＣＦテープを供給リールに巻回した状態で、当該供給リールへの回転伝達を安定させ、もって、正確なテープ送りが可能な供給装置が、以下の特許文献２により既に知られている。
【先行技術文献】
【特許文献】
【０００４】
【特許文献１】特開平１０−２７８２０号公報
【特許文献２】特開２００１−３２６２４９号公報
【発明の概要】
【発明が解決しようとする課題】
【０００５】
ところで、ＡＣＦテープは、ガイドローラなどのガイド手段を介してワークの貼付け位置まで導かれ、このＡＣＦテープに対して圧着ヘッドを下降させてＡＣＦテープをワークに押し付けることにより、ＡＣＦがワークに貼付けられる。そして、ＡＣＦテープの貼付け作業を継続しておこなう過程で１つの供給リールのＡＣＦテープが消費されると、装着した供給リールを取り外して、新たな供給リールを装着するリール交換作業が行われる。
【０００６】
このリール交換作業に要する時間を短縮することを目的として、供給リールとＡＣＦテープのガイド機構とを板状のベースに組み込んだ供給リールユニットが用いられる場合があり、この供給リールユニットには、通常、ＡＣＦテープを繰り出すために供給リールを回転させる回転駆動源は設けられず、回転駆動源はＡＣＦテープの供給装置の本体側に設けられる。そして供給リールユニットを本体部に装着すると供給リールが回転駆動源によって駆動されるよう、回転駆動源から供給リールへの回転を伝達する回転伝達機構が設けられている。この回転伝達機構として、回転駆動源の駆動軸を供給リールの被駆動軸に押し付け、摩擦によって回転を伝達する機構が知られている。
【０００７】
更に、上記の特許文献２には、ボスに装着されたＡＣＦテープの供給リールを回転させるリール回転軸への回転伝達機構を、モータの出力軸とリール回転軸の双方に当接して外覆部との摩擦により出力軸からリール回転軸へ回転を伝達する伝動輪と、伝動輪を出力軸とリール回転軸へ付勢するバネ部材とで構成することにより、摩擦によって伝動輪の外覆部が摩耗した状態にあっても、常に、正しい伝動比を保つことができ、供給リールへの回転伝達を安定させて正確なテープ送りが行える電子部品接着用の異方性導電体の供給装置が開示されている。
【０００８】
しかしながら、上述した従来技術になる供給装置では、ＡＣＦテープの供給リールを回転させる機構として押し付けによる摩擦を利用することから、なお、リールの交換作業が難しく、それに要する時間を短縮することは困難であった。加えて、一般に、リールの交換の際には、新たに装着した供給リールからＡＣＦテープを引き出して供給装置に装着するが、その際、外部からの引き出し力がリール内のＡＣＦテープに加わり、所謂、巻き締りと呼ばれる現象が起こるが、しかしながら、上述した従来技術は、かかる問題点については考慮されていなかった。
【０００９】
そこで、本発明は、上述した従来技術における問題点に鑑みて達成されたものであり、その目的は、リールの交換作業が簡単で、かつ、上述した巻き締りを解消することが可能な電子部品接着用の異方性導電体の供給装置を提供することをその目的とする。
【課題を解決するための手段】
【００１０】
本発明によれば、上述した目的を達成するため、まず、電子部品接着用の異方性導電体の粘着層を有し片面にセパレータテープが貼着された異方性導電テープを送給することにより異方性導電体を供給する電子部品接着用の異方性導電体の供給装置であって、前記異方性導電テープを巻回して供給する供給リールと、前記供給リールが着脱自在に装着され、前記供給リールを回転駆動する駆動軸を備えた駆動手段と、前記駆動手段の駆動軸の回転を前記供給リールの被駆動軸に伝達する駆動力伝達機構とを備えており、前記駆動力伝達機構は、前記供給リールの被駆動軸に対し、磁気的に着脱可能であることを特徴とする電子部品接着用の異方性導電体の供給装置。
【００１１】
また、本発明では、前記に記載した異方性導電体の供給装置において、前記駆動力伝達機構は、前記駆動手段の駆動軸の回転により回転する磁石を備えており、かつ、前記供給リールの被駆動軸は、少なくともその一部を前記磁石に対して磁気的に連結する材料により形成してもよく、又は、前記供給リールの被駆動軸は、少なくともその一部が磁石により形成されており、かつ、前記駆動力伝達機構は、前記駆動手段の駆動軸の回転により回転する部材を前記磁石に対して磁気的に連結する材料により形成してもよい。或いは、前記駆動力伝達機構は、前記駆動手段の駆動軸の回転により回転する磁石を備え、かつ、前記供給リールの被駆動軸は、少なくともその一部を磁石により形成してもよい。
【発明の効果】
【００１２】
即ち、上述した本発明によれば、リールの交換作業が簡単で、かつ、上述した巻き締りを解消することが可能な電子部品接着用の異方性導電体の供給装置を提供することという優れた効果を発揮する。
【図面の簡単な説明】
【００１３】
【図１】本発明の一実施の形態になる電子部品接着用の異方性導電体の供給装置の全体構成を示す正面図である。
【図２】本発明の特徴を構成する供給リールとその回転駆動源を説明する、上記図１のＡ−Ａ断面図である。
【図３】上記供給リールとその回転駆動源を説明する部分展開斜視図である。
【図４】本発明の他の実施の形態になる異方性導電体の供給装置の、特に、供給リールとその回転駆動源の断面図である。
【図５】上記図４に示す供給リールとその回転駆動源を説明する部分展開斜視図である。
【発明を実施するための形態】
【００１４】
以下、本発明の実施の形態について、添付の図面を参照しながら、詳細に説明する。
【００１５】
まず、添付の図１には、本発明の一実施の形態になる電子部品接着用の異方性導電体の供給装置が示されている。図において、ＡＣＦがその端（縁）部に形成された電極に貼り付けられるワークである基板が、符号１で示されている。また、２枚の円盤状の部材を所定の距離だけ隔て、互いに平行に保持して固定したリールが符号１０で示されており、このリール１０の２枚の円盤状の部材１１、１１（図３を参照）の間の隙間には、セパレータテープに貼着した異方性導電テープ（以下、「ＡＣＦテープ」という）を巻き回し、もって、所謂、ＡＣＦ供給リール（以後、単に「供給リール」と言う）を構成している。この供給リール１０は、後にも詳細に説明するが、その後方に配置された、例えば、電動モータ等の回転駆動装置により、所定の伝動比で回転され（図の矢印を参照）、もって、安定したテープ送りが行われる。なお、この図では、当該ＡＣＦリール１０から送り出されたＡＣＦテープが符号１００によって示されており、この図からも明らかなように、ＡＣＦテープ１００は、案内ローラやガイドローラを含む複数のローラ２１、２１を介して、基板１と圧着用ツール３０との間に供給される。また、基板１を挟んで、圧着用ツール３０の反対側には、当該圧着用ツール３０の加圧力を受ける保持テーブル２０が備えられている。なお、これら保持テーブル２０と圧着用ツール３０とにより基板１にＡＣＦを貼り付けた後、当該ＡＣＦが剥離されたセパレータテープ１１０は、ここでは図示しない、セパレータテープ回収用のリールへ送られることとなる。
【００１６】
続いて、上記にその概略構造を説明した供給装置における上記供給リール１０及びその回転駆動源について、添付の図２及び図３を参照しながら、以下に詳細に説明する。なお、図２は、上記図１におけるＡ−Ａ断面を示す断面図であり、図３はその動作を説明するための展開斜視図である。図からも明らかなように、２枚の円盤状の部材１１、１１からなる供給リール１０の中心部には、例えば、２個の円筒状の部材１２−１、１２−２からなる被駆動軸１２が取り付けられている。そして、当該被駆動軸１２の一方の側面（上記円盤状の部材１１と平行な面であり、図の例では、部材１２−２の右側面）は、例えば、鉄系の金属により形成されている。なお、ここでは、駆動伝達部のみを図示しており、被駆動軸１２を保持する保持機構は、その図示を省略している。より具体的に説明すると、被駆動軸１２で保持されたリール部１０がマグネット４２に磁力により吸着して保持されている。また、部材１２−２をマグネットにより形成した場合には、磁極の配置により、上記マグネット４２は、接触又は非接触でも駆動伝達が可能である。
【００１７】
一方、上記した供給装置側には、供給リール１０を回転駆動するための駆動源（手段）として、例えば、電動モータ４０が設けられており、かつ、当該電動モータ４０の出力軸である回転駆動軸４１の先端には、上記供給リール１０の被駆動軸１２と同様、外形が円筒状（断面積が同じ）の磁石４２が取り付けられており、これにより駆動力伝達機構を形成している。即ち、かかる被駆動軸１２や駆動力伝達機構によれば、供給リール１０の被駆動軸１２は、上記円筒状の磁石４２の先端の円形な面と同じ面を備えており、かつ、当該駆動力伝達機構を構成する磁石４２を介して、供給リール１０（図２の二点鎖線で示す部分）は、電動モータ４０の回転駆動軸４１に対して電磁的に連結（電磁カップリング）されることから、着脱自在となっている。
【００１８】
例えば、上述したように、ＡＣＦテープの貼付け作業を継続しておこなう過程で１つの供給リールのＡＣＦテープが消費されると、今まで装着していた供給リールを取り外して、新たな供給リールを装着するリール交換作業が行われる。その際、本発明になる電子部品接着用の異方性導電体の供給装置によれば、上記図２及び図３からも明らかなように、上記供給リール１０を、その被駆動軸１２と一緒に、駆動力伝達機構を構成する磁石４２から取り外すという簡単な作業で、容易に、取り外すことが出来る。また、新たな供給リール１０を装着する場合にも、上記供給リール１０を、その被駆動軸１２が駆動力伝達機構を構成する磁石４２に連結するように配置するだけでよく、そのため、リールの交換作業を簡単に行うことが出来る。
【００１９】
また、上述したように、駆動力伝達機構を構成する磁石４２を介して、供給リール１０を、その被駆動軸１２により、磁気的に、回転駆動軸４１に連結することによれば、上述したように、当該供給リール１０を簡単に着脱自在とすることが可能となる。それと共に、当該磁石４２による磁力を、適宜、設定することによれば、上述したように、特に、リール交換に際し、新たに装着した供給リールからＡＣＦテープを引き出して供給装置に装着する場合、外部からの引き出し力がリール内のＡＣＦテープに加わっても、当該引き出し力が上記設定した磁力による吸引力を超えると被駆動軸１２が駆動力伝達機構を構成する磁石４２との接合面において摺動して回転することから、従来技術において生じていた、所謂、巻き締りと呼ばれる現象を解消することも可能となる。即ち、リールの交換作業が簡単で、かつ、上述した巻き締りを解消することが可能な電子部品接着用の異方性導電体の供給装置を提供することが可能となる。
【００２０】
なお、上述した実施の形態では、上記駆動力伝達機構において、電動モータ４０の回転駆動軸４１の先端に取り付けられ、もって、モータの回転駆動力を供給リール１０の被駆動軸１２へ伝達する部材として、円筒状の磁石４２を用いたものを説明したが、しかしながら、本発明はこれに限定されることはなく、その他、例えば、上記供給リール１０の被駆動軸１２の一部を磁石により形成してもよく、更には、モータの回転駆動力を供給リール１０の被駆動軸１２へ伝達する部材を、当該磁石に磁気的に連結可能な鉄系の金属で形成することも可能であろう。
【００２１】
更に、本発明の他の実施例になる電子部品接着用の異方性導電体の供給装置について、以下、添付の図４及び図５を参照しながら説明する。なお、この他の実施例になる供給装置は、特に、装置の厚さ方向の寸法（スペース）を低減する場合に有利な構造であろう。また、これらの図中では、上述した実施例と同様の構成要件には同じ符号を付して示しており、そして、その詳細な説明は重複を避けるため省略する。
【００２２】
これらの図からも明らかなように、上記の実施例では、駆動力伝達機構を構成する円筒形状の磁石４２Ａと同軸上に電動モータ４０を配置し、当該軸に対して直交する方向に、配置駆動力伝達機構を構成する他の円筒形状の磁石４２Ｂを非接触で配置する。そして、当該磁石４２Ｂの一方、即ち、被駆動軸を構成する部材１２−１に対向する先端部には、部材１２−Ａが取り付けられている。
【００２３】
上述した他の実施例になる構成によれば、電動モータ４０からの回転駆動力は、その回転軸４１を介して、駆動力伝達機構を構成する磁石４２Ａに伝達される。更に、この磁石４２Ａの回転により、磁極の配置により定まる方向に、他の磁石４２Ｂが非接触で回転駆動される。その結果、当該他の磁石４２Ｂの先端部に取り付けられた部材１２−Ａが回転し、もって、部材１２−１と部材１２−Ａとの間に挟み込んだ供給リール１０を所定の方向に回転駆動する。
【００２４】
なお、上述した本発明の他の実施例になる電子部品接着用の異方性導電体の供給装置でも、上記の実施例と同様、新たな供給リール１０を装着する場合にも、上記供給リール１０を、その被駆動軸１２が駆動力伝達機構を構成する磁石４２に連結するように配置するだけでよく、そのため、リールの交換作業を簡単に行うことが出来、更には、従来技術において生じていた、所謂、巻き締りと呼ばれる現象を解消することも可能であり、もって、リールの交換作業が簡単で、かつ、上述した巻き締りを解消することが可能な電子部品接着用の異方性導電体の供給装置を提供することが可能となる。
【符号の説明】
【００２５】
１…基板（ワーク）、１０…供給リール、１００…ＡＣＦテープ、２０…保持テーブル、３０…圧着用ツール、４０…電動モータ、４２、４２Ａ、４２Ｂ…磁石、１２−１、１２−２、１２−Ａ…被駆動軸構成部材。
【図１】
2011151177.tif 000003
【図２】
2011151177.tif 000004
【図３】
2011151177.tif 000005
【図４】
2011151177.tif 000006
【図５】
2011151177.tif 000007